(57)【特許請求の範囲】
【請求項１】
ポータル画面表示装置と、ポータル画面サーバ装置とからなるポータルシステムであって、
前記ポータル画面表示装置は、
自身の製造者を識別するための製造者識別情報を含む機器識別情報を書換不能に保持する機器識別情報保持部と、
前記ポータル画面サーバ装置に対してポータル画面表示情報を要求する旨の信号であるポータル画面表示情報要求信号を生成するポータル画面表示情報要求信号生成部と、
前記ポータル画面表示情報要求信号と、前記ポータル画面表示情報要求信号に関連付けた前記機器識別情報と、を送信するポータル画面表示情報要求信号送信部と、
前記ポータル画面サーバ装置からポータル画面表示情報を受信するポータル画面表示情報受信部と、
前記ポータル画面表示情報受信部で受信したポータル画面表示情報に基づいてポータル画面を表示する表示部と、
を有し、
前記ポータル画面サーバ装置は、
ポータル画面表示情報要求信号を受信するポータル画面表示情報要求信号受信部と、
前記機器識別情報と対応付けてポータル画面表示情報を保持するポータル画面表示情報保持部と、
前記ポータル画面表示情報要求信号受信部で受信したポータル画面表示情報要求信号に前記機器識別情報が関連付けられているか判断する第一判断部と、
前記第一判断部での判断結果が前記機器識別情報が関連付けられているとの判断結果である場合に、その機器識別情報と対応付けられた前記ポータル画面表示情報を前記ポータル画面表示情報保持部から取得して、前記ポータル画面表示装置に送信するポータル画面表示情報送信部と、
を有するポータルシステム。
【請求項２】
前記ポータル画面表示装置の前記機器識別情報には、放送等事業者を識別するための情報である放送等事業者識別情報が含まれる請求項１に記載のポータルシステム。
【請求項３】
前記ポータル画面表示情報保持部は、製造者識別情報と関連付けて前記ポータル画面表示情報を保持する製造者別ポータル画面表示情報保持手段を有する請求項１又は２に記載のポータルシステム。
【請求項４】
前記ポータル画面表示情報保持部は、放送事業者等識別情報と関連付けて前記ポータル画面表示情報を保持する放送事業者等別ポータル画面表示情報保持手段を有する請求項１又は２に記載のポータルシステム。
【請求項５】
前記ポータル画面サーバ装置は、
前記ポータル画面表示情報要求信号受信部で受信するポータル画面表示情報要求信号又は、これに関連付けて受信する機器識別情報に基づいて前記ポータル画面表示装置に対して所定の情報の要求である所定要求情報を送信する所定要求情報送信部を有し、
前記ポータル画面表示情報送信部は、前記所定要求情報の前記ポータル画面表示装置から返信される応答情報にも基づいて前記ポータル画面表示情報保持部からポータル画面表示情報を取得して、前記ポータル画面表示装置にそのポータル画面表示情報を送信し、
前記ポータル画面表示装置は、
前記所定要求信号を受信する所定要求信号受信部と、
前記所定要求情報受信部で受信した所定要求情報に応じた応答情報を返信する応答返信部と、
を有する
請求項１から４のいずれか一に記載のポータルシステム。
【請求項６】
前記ポータル画面表示情報サーバ装置は、
前記ポータル画面表示情報保持部に、放送事業者等識別情報と関連付けて前記ポータル画面表示情報を保持する放送事業者等別ポータル画面表示情報保持手段を有し、
前記機器識別情報に前記放送事業者等識別情報が含まれているか判断する第二判断部を有するとともに、
前記第二判断部での判断結果が前記機器識別情報に前記放送事業者等識別情報が含まれていないとの判断結果である場合には、
前記ポータル画面表示装置に対して前記放送事業者等のサービスに加入することを促すメッセージを送信するメッセージ送信部を有する請求項１に記載のポータルシステム。
【請求項７】
請求項１から６の何れか一に記載のポータル画面表示装置。
【請求項８】
請求項１から６のいずれか一に記載のポータル画面表示情報サーバ装置。
【請求項９】
前記ポータル画面表示装置の表示部は、
前記機器識別情報に対応したポータル画面表示情報に基づいてポータル画面を表示するための情報を自身から取得し、取得した情報に基づいてポータル画面を表示する請求項１から６のいずれか一に記載のポータルシステム。
【請求項１０】
ポータル画面表示装置が、書換不能に保持された、自身の製造者を識別するための製造者識別情報を含む機器識別情報を読み出すステップと、
前記ポータル画面表示装置が、ポータル画面サーバ装置に対してポータル画面表示情報を要求する旨の信号であるポータル画面表示情報要求信号を生成する生成ステップと、
前記ポータル画面表示装置が、前記ポータル画面表示情報要求信号と、前記ポータル画面表示情報要求信号に関連付けた前記機器識別情報とを送信するポータル画面表示情報要求信号の送信ステップと、
前記ポータル画面サーバ装置が、ポータル画面表示情報要求信号を受信するポータル画面表示情報要求信号の受信ステップと、
前記ポータル画面サーバ装置が、前記受信ステップにて受信したポータル画面表示情報要求信号に前記機器識別情報が関連付けられているか判断する判断ステップと、
前記判断ステップでの判断結果が前記機器識別情報が関連付けられているとの判断結果である場合に、その機器識別情報と対応付けられた前記ポータル画面表示情報を前記ポータル画面サーバ装置が前記ポータル画面表示装置に送信するポータル画面表示情報の送信ステップと、
前記ポータル画面表示装置が、前記ポータル画面サーバ装置からポータル画面表示情報を受信するポータル画面表示情報の受信ステップと、
前記ポータル画面表示装置が、前記ポータル画面表示情報の受信ステップで受信したポータル画面表示情報に基づいてポータル画面を表示する表示ステップと
からなる方法。
【請求項１１】
前記ポータル画面サーバ装置が前記ポータル画面表示情報要求信号の受信ステップで受信するポータル画面表示情報要求信号又は、これに関連付けて受信する機器識別情報に基づいて前記ポータル画面サーバ装置が前記ポータル画面表示装置に対して所定の情報の要求である所定要求情報を送信する所定要求情報の送信ステップをさらに有し、
前記ポータル画面表示情報の送信ステップにおいては、前記所定要求情報の前記ポータル画面表示装置から返信される応答情報にも基づいて前記ポータル画面表示装置にそのポータル画面表示情報を送信するとともに、
前記ポータル画面表示装置が、前記所定要求信号を受信する所定要求信号の受信ステップと、前記所定要求情報の受信ステップで受信した所定要求情報に応じた応答情報を返信する応答返信ステップと、
をさらに有する請求項１０に記載の方法。
【請求項１２】
前記ポータル画面サーバ装置が、前記ポータル画面表示情報保持部に、放送事業者等識別情報と関連付けて前記ポータル画面表示情報を保持し、前記機器識別情報に前記放送事業者等識別情報が含まれているか判断する第二判断ステップを有するとともに、
前記第二判断ステップでの判断結果が前記機器識別情報に前記放送事業者等識別情報が含まれていないとの判断結果である場合には、前記ポータル画面サーバ装置が前記ポータル画面表示装置に対して前記放送事業者等のサービスに加入することを促すメッセージを送信するメッセージの送信ステップを有する請求項１０に記載の方法。
【発明の詳細な説明】
【技術分野】
【０００１】
本発明はポータル画面表示装置と、ポータル画面サーバ装置とからなるポータルシステムであって、ポータル画面表示装置の機器識別情報に基づいて特定のポータル画面を選別して表示するシステムに係るものである。
【背景技術】
【０００２】
電子機器等の端末のユーザに対しネットワークを介して情報を提供するシステムにおいては、コンテンツプロバイダの増加、情報内容の多様化等に伴い、ユーザのニーズに合わせて最適の情報を提供する必要がますます高まっているが、かかる場合にユーザが自らポータルサイトのメニューを編集するという負担を軽減しつつユーザのニーズに対応した情報を提供するためのシステムとして、例えば、ネットワーク資源のユーザのアクセスログに基づいてポータルサイトを最適化するシステムの発明が知られている（特許文献１参照）。
【特許文献１】特開２００３−３４５８２７号公報
【発明の開示】
【発明が解決しようとする課題】
【０００３】
しかし、従来のシステムでは、ひとたびユーザの識別情報が第三者に漏洩してしまえば、当該第三者が他の電子機器を用いてなりすましを行う危険を防止することは困難であった。
【課題を解決するための手段】
【０００４】
以上の課題を解決するために、本発明においては、ユーザ等に最適化されたポータル画面をユーザが使用する電子機器の機器識別情報と関連付けることとしている。即ち、本発明は、ポータル画面表示装置と、ポータル画面サーバ装置とからなるポータルシステムであって、前記ポータル画面表示装置は、自身の製造者を識別するための製造者識別情報を含む機器識別情報を書換不能に保持する機器識別情報保持部と、前記ポータル画面サーバ装置に対してポータル画面表示情報を要求する旨の信号であるポータル画面表示情報要求信号を生成するポータル画面表示情報要求信号生成部と、前記ポータル画面表示情報要求信号と、前記ポータル画面表示情報要求信号に関連付けた前記機器識別情報とを送信するポータル画面表示情報要求信号送信部と、前記ポータル画面サーバ装置からポータル画面表示情報を受信するポータル画面表示情報受信部と、前記ポータル画面表示情報受信部で受信したポータル画面表示情報に基づいてポータル画面を表示する表示部とを有し、前記ポータル画面サーバ装置は、ポータル画面表示情報要求信号を受信するポータル画面表示情報要求信号受信部と、前記機器識別情報と対応付けてポータル画面表示情報を保持するポータル画面表示情報保持部と、前記ポータル画面表示情報要求信号受信部で受信したポータル画面表示情報要求信号に前記機器識別情報が関連付けられているか判断する第一判断部と、前記第一判断部での判断結果が前記機器識別情報が関連付けられているとの判断結果である場合に、その機器識別情報と対応付けられた前記ポータル画面表示情報を前記ポータル画面表示情報保持部から取得して、前記ポータル画面表示装置に送信するポータル画面表示情報送信部とを有するポータルシステムを提供するものである。
【発明の効果】
【０００５】
本発明に係るポータルシステムにより、ユーザの識別情報の第三者への漏洩によるなりすましの危険を回避したうえで、ユーザ等に最適なポータル画面を表示することが可能となる。
【発明を実施するための最良の形態】
【０００６】
以下に、本発明の実施形態を実施例を用いて説明する。実施例、実施形態及び特許請求の範囲の請求項の相互の関係は以下のとおりである。
【０００７】
実施例１：主に請求項１、請求項１０などに関する実施形態である実施形態１について説明する。
【０００８】
実施例２：主に請求項２などに関する実施形態である実施形態２について説明する。
【０００９】
実施例３：主に請求項３、請求項１１などに関する実施形態である実施形態３について説明する。
【００１０】
実施例４：主に請求項４、請求項１２などに関する実施形態である実施形態４について説明する。
【００１１】
実施例５：主に請求項５などに関する実施形態である実施形態５について説明する。
【００１２】
実施例６：主に請求項６などに関する実施形態である実施形態６について説明する。
【００１３】
実施例７：主に請求項７などに関する実施形態である実施形態７について説明する。
【００１４】
なお、本発明はこれら実施例に何ら限定されるものではなく、その要旨を逸脱しない範囲において、種々なる態様で実施しうる。
【実施例１】
【００１５】
<概要>
【００１６】
図１は、本実施形態の一例の概念を示すものである。以下、同図に示す例に即して説明する。
【００１７】
本発明に係るポータルシステムは、ポータル画面表示装置（０１０１〜０１０３）とポータル画面サーバ装置（０１０４）から構成される。ポータル画面表示装置は、本図に示されるように通常複数である。また、ポータル画面サーバ装置は、本図では単数の場合が示されているが、複数であってもよい。ポータル画面表示装置は、本図の例では、各ユーザの自宅に設置されたインターネット機能付きのデジタルテレビである。
【００１８】
本システムの特徴は、ポータル画面表示装置がそれぞれの装置に特有の機器識別情報を保持しており、同装置からポータル画面表示情報要求信号をポータル画面サーバ装置に送信する際には、機器識別情報がポータル画面表示情報要求信号に関連付けられて送信される点にある。機器識別情報とは、機器自身を識別するための情報であり、例えば、製造番号である。かかる情報がポータル画面サーバ装置に送られることにより、ポータル画面サーバ装置は、ポータル画面表示情報要求信号がどのポータル画面表示装置から送信されたものであるかを識別することが可能となる。
【００１９】
例えば、ポータル画面表示装置１（０１０１）は、当該装置がＡ社製であることを示す記号である「Ａ」と、機器の型式を表す記号である「Ｘ」と機器の製造番号である「１２３４５６」と、当該装置の設置されている場所（東京都千代田区丸の内）の郵便番号である「１０００００５」を組み合わせた「ＡＸ１２３４５６１０００００５」という機器識別情報を保持しており、当該装置からポータル画面表示情報として当該装置の設置場所である東京都千代田区地方のその日の天気予報の要求を受けたポータル画面サーバ装置（０１０４）は、自己の保持する機器識別情報リストと照合して間違いなく当該機器から送信された要求信号であることを確認したうえで、千代田区地方の天気予報を含むポータル画面表示情報を当該ポータル画面表示装置１（０１０１）に送信する。これにより、ユーザは自宅のインターネット機能付きデジタルテレビのポータル画面で当該天気予報を見ることができる。
【００２０】
また、例えば、ポータル画面表示装置２（０１０２）は、当該装置がＢ社製であることを示す記号である「Ｂ」と、機器の型式を表す記号である「Ｙ」と機器の製造番号である「１３５７９」とを組み合わせた「ＢＹ１３５７９」という機器識別情報を保持しており、当該装置からポータル画面表示情報としてインターネットの情報検索画面の要求を受けたポータル画面サーバ装置（０１０４）は、自己の保持する機器識別情報リストと照合して間違いなく当該機器から送信された要求信号であることを確認したうえで、情報検索画面を含むポータル画面表示情報を当該ポータル画面表示装置２（０１０２）に送信する。これにより、ユーザは自宅のインターネット機能付きデジタルテレビのポータル画面で当該情報検索画面を用いて検索を行うことができる。
【００２１】
また、例えば、ポータル画面表示装置３（０１０３）は、当該装置がＡ社製であることを示す記号である「Ａ」と、機器の型式を表す記号である「Ｘ」と機器の製造番号である「２３４５６７」と、当該装置のユーザが加入しているＣＡテレビ局であるＣ放送局の大阪ローカル局を示す記号である「Ｃ０６」を組み合わせた「ＡＸ２３４５６７Ｃ０６」という機器識別情報を保持しており、当該装置からポータル画面表示情報としてニュースの要求を受けたポータル画面サーバ装置（０１０４）は、自己の保持する機器識別情報リストと照合して間違いなく当該機器から送信された要求信号であることを確認したうえで、Ｃ放送局が大阪地方向けに提供するニュースを含むポータル画面表示情報を当該ポータル画面表示装置３（０１０３）に送信する。これにより、ユーザは自宅のインターネット機能付きデジタルテレビのポータル画面で当該ニュースを見ることができる。
【００２２】
<構成>
【００２３】
図２は、本実施形態の機能ブロックの一例を示す図である。
【００２４】
本件発明の構成要素である各部は、ハードウェア、ソフトウェア、ハードウェアとソフトウェアの両者、のいずれかによって構成される。たとえば、これらを実現する一例として、コンピュータを利用する場合には、ＣＰＵ、メモリ、バス、インターフェイス、周辺機器などから構成されるハードウェアと、これらのハードウェア上にて実行可能なソフトウェアを挙げることができる。
【００２５】
具体的には、メモリ上に展開されたプログラムを順次実行することで、メモリ上のデータや、インターフェイスを介して入力されるデータの加工、蓄積、出力などにより各部の機能が実現される。
【００２６】
本実施形態の「ポータルシステム」（０２００）は、「ポータル画面表示装置」（０２１０）と、「ポータル画面サーバ装置」（０２２０）とからなる。
【００２７】
前記「ポータル画面表示装置」（０２１０）は、「機器識別情報保持部」（０２１１）と、「ポータル画面表示情報要求信号生成部」（０２１２）と、「ポータル画面表示情報要求信号送信部」（０２１３）と、「ポータル画面表示情報受信部」（０２１４）と、「表示部」（０２１５）とを有する。
【００２８】
「ポータル画面」とは、典型的には、ポータル画面表示装置の電源を入れた時に最初に表示される画面をいうが、これに限られない。例えば、放送受信機能とインターネット接続機能の双方の機能を持つ装置において、最初に表示される画面は放送受信画面である場合に、その後の操作によりインターネット接続機能に切り替えた時に表示される最初の画面であってもよい。
【００２９】
ポータル画面は、電子機器に表示される画面をユーザに強く印象付ける効果を有する。例えば、その装置の製造者である会社名がポータル画面に表示されることでその社名をユーザに強く認知させ、その製品が優秀である場合にはその会社の製品のイメージアップを図ることができる。これは、ポータル画面の、ユーザが当該電子機器を利用する度に必ず最初に目にする画面であるという性質に由来するものであって、その意味でポータル画面は電子機器に表示可能な他の画面とは全く異なる意義を有するものである。
【００３０】
「ポータル画面表示装置」（０２１０）は、ポータル画面サーバ装置から提供される画面をユーザが閲覧できるように表示する装置であって、パソコン、携帯電話、テレビその他の家電機器等が含まれる。
【００３１】
「機器識別情報保持部」（０２１１）は、自身の製造者を識別するための製造者識別情報を含む機器識別情報を書換不能に保持するように構成されている。
【００３２】
「機器識別情報」とは、自身の識別のための情報を言い、製造者識別情報が含まれる。「製造者識別情報」とは、製造者をユニークに識別するための情報を言う。この場合の製造者は、装置全体を製造する者であっても、当該装置の一部、例えば情報通信機能を構成する部分のみを製造する者であってもよい。このほか、例えば、機器製造番号、機器モデル記号、あるいはこれらとは別に機器を識別するために独自に付されるＩＤなどが含まれていてもよい。
【００３３】
また、機器識別情報は書換不能に保持されている。具体的には、当該情報はＲＯＭに記憶された情報であり、従って電子機器のユーザ等が当該情報の内容を書き替えることはできないようになっている。即ち、「書換不能」とは、一旦機器識別情報として生成されて保持された後は、原則として何人もその情報内容を変更できないという意味である。これは、どのユーザのもとから送られたポータル画面表示情報かを機器識別情報と関連付けることで第三者のなりすましを防止するとの機能を担保するためである。ただし、以上の目的に反しなければ、一定の場合には書換可能なものであってもよい。例えば、当該装置の製造メーカの分割等により新たな製造者識別情報に変更する必要が生じた場合、当該装置の一部の機能を後から追加する場合に当該機能が追加された装置であることを示すために機器モデル記号を変更する必要が生じた場合、当該装置の故障に対する修理の必要が生じた場合などが考えられる。かかる場合の書換は、当該機器識別情報の漏洩による第三者のなりすましの危険を防止しつつ行われる必要があるため、当該製造メーカのみが知り得る情報等に基づいて行われる。
【００３４】
「ポータル画面表示情報要求信号生成部」（０２１２）は、前記ポータル画面サーバ装置に対してポータル画面表示情報を要求する旨の信号であるポータル画面表示情報要求信号を生成するように構成されている。
【００３５】
「ポータル画面表示情報要求信号」は、ポータル画面表示装置がポータル画面サーバ装置に対し、どの画面を表示してほしいかを示す情報を示してその表示を要求するための信号である。
【００３６】
「ポータル画面表示情報要求信号送信部」（０２１３）は、前記ポータル画面表示情報要求信号と、前記ポータル画面表示情報要求信号に関連付けた前記機器識別情報とを送信するように構成されている。その際、ポータル画面サーバ装置からポータル画面表示情報を送り返してもらう際のあて先となるＵＲＬを一緒に送るように構成されていてもよい。また、送信は、電話回線、インターネット回線のいずれを介して行われるものであってもよく、あるいは両者の組み合わせによって行われるものであってもよい。
【００３７】
「ポータル画面表示情報受信部」（０２１４）は、前記ポータル画面サーバ装置からポータル画面表示情報を受信するように構成されている。受信は、電話回線、インターネット回線のいずれを介して行われるものであってもよく、あるいは両者の組み合わせによって行われるものであってもよい。また、「ポータル画面表示情報」とは、ポータル画面に表示される情報としてポータル画面サーバ装置から送信されるものを言う。この場合、表示されるすべての情報がポータルサーバから送信される場合と、表示される情報自体は予めポータル画面表示装置に蓄積されており、ポータル画面表示装置がポータル画面サーバ装置から送信された命令に基づいて所要の情報を画面に表示する場合とがあり得る。
【００３８】
「表示部」（０２１５）は、前記ポータル画面表示情報受信部で受信したポータル画面表示情報に基づいてポータル画面を表示するように構成されている。ポータル画面の表示は、装置の画面表示が可能な部分の全部を占めるものであってもよいし、一部を占めるものであってもよい。後者は、例えば、テレビ放送受信画面と半分ずつ表示されるといった場合である。
【００３９】
次に、前記「ポータル画面サーバ装置」（０２２０）は、「ポータル画面表示情報要求信号受信部」（０２２１）と、「ポータル画面表示情報保持部」（０２２２）と、「第一判断部」（０２２３）と、「ポータル画面表示情報送信部」（０２２４）とを有する。当該装置は、唯一であってもよいし、複数存在してもよい。
【００４０】
「ポータル画面表示情報要求信号受信部」（０２２１）は、ポータル画面表示情報要求信号を受信するように構成されている。受信は、電話回線、インターネット回線のいずれを介して行われるものであってもよく、あるいは両者の組み合わせによって行われるものであってもよい。
【００４１】
「ポータル画面表示情報保持部」（０２２２）は、前記機器識別情報と対応付けてポータル画面表示情報を保持するように構成されている。この場合の「対応付け」は、機器識別情報の全部とポータル画面表示情報が１対１に対応付けられたものであってもよいし、機器識別情報の一部とポータル画面表示情報が１対１に対応付けられたものであってもよい。後者は、例えば、機器識別情報の最初の３桁のみとポータル画面表示情報が１対１に対応付けられたといったごときである。この場合、最初の３桁が共通する機器識別情報を有する複数のポータル画面表示装置に送信されるポータル画面表示情報は、すべて同一のものとなる。
【００４２】
「第一判断部」（０２２３）は、前記ポータル画面表示情報要求信号受信部で受信したポータル画面表示情報要求信号に前記機器識別情報が関連付けられているか判断するように構成されている。関連付けられていない場合とは、不正な要求信号であって、当該信号中に本来機器識別情報に含まれるべき情報が欠けている場合や、逆に機器識別情報以外の情報が含まれている場合などが該当する。後者の場合、第一判断部が行う判断プロセスの中に、ポータル画面サーバ装置に予め保持されている機器識別情報のリストと機器識別情報として送付された情報との照合を行うプロセスが含まれる。なお、照合の方法は、機器識別情報として送付された情報と同一のものがリスト中に存在するかをチェックする方法のほか、機器識別情報として送付された情報に一定の処理を加えることにより所定の結果が得られるか否かによりチェックする方法でもよい。後者の場合の具体例としては、予め保持されている真正な機器識別情報の数字部分の合計の末尾の数字が必ず「０」になるように設定しておき、送付された情報がこの条件を満たすかどうかチェックするといったものが挙げられる。
【００４３】
「ポータル画面表示情報送信部」（０２２４）は、前記第一判断部での判断結果が前記機器識別情報が関連付けられているとの判断結果である場合に、その機器識別情報と対応付けられた前記ポータル画面表示情報を前記ポータル画面表示情報保持部から取得して、前記ポータル画面表示装置に送信するように構成されている。送信は、電話回線、インターネット回線のいずれを介して行われるものであってもよく、あるいは両者の組み合わせによって行われるものであってもよい。
【００４４】
なお、送信先のアドレスは、機器識別情報と関連付けられたアドレスとして予め登録されたものであることが望ましい。この場合、「ポータル画面表示情報送信部」（０２２４）は、予め登録されたかかるアドレス情報を保持するように構成される。
【００４５】
図３は、本実施形態のシステムの構成において、機器識別情報がどのように機能するかを表した機能ブロックの一例を示す図である。
【００４６】
本図において、機器識別情報（０３３１）は、予め「ポータル画面表示装置」（０３１０）の「機器識別情報保持部」（０３１１）に保持されている。
【００４７】
当該機器識別情報は、同装置（０３１０）の「ポータル画面表示情報要求信号送信部」（０３１３）がポータル画面表示情報要求信号を送信する際に、これを当該信号に関連付けて送信（０３３２）されるように構成されている。
【００４８】
送信された当該機器識別情報は、「ポータル画面サーバ装置」（０３２０）の「ポータル画面表示情報要求信号受信部」（０３２１）により受信（０３３４）されるように構成されている。
【００４９】
受信された当該機器識別情報は、同装置（０３２０）の「第一判断部」（０３２３）において、これがポータル画面表示情報要求信号に関連付けられているか判断（０３３５）されるように構成されている。その際、当該判断は、本図の例では同部（０３２３）が予め保持する機器識別情報照合リスト（０３３６）に基づいて行われるように構成されている。
【００５０】
判断の結果、機器識別情報が関連付けられていると判断された場合は、同装置（０３２０）の「ポータル画面表示情報送信部」（０３２４）は、当該機器識別情報と対応付けられたポータル画面表示情報を「ポータル画面表示装置」（０３１０）の「ポータル画面表示情報受信部」（０３１４）に送信（０３３７）するように構成されている。その際、送信先である同部（０３１４）のアドレスは、本図の例では、予め登録された機器識別情報と関連付けられたアドレス情報（０３３８）に基づく。
【００５１】
送信されたポータル画面表示情報は、「ポータル画面表示情報受信部」（０３１４）の当該アドレス（０３３３）において受信され、当該情報が「ポータル画面表示装置」（０３１０）の「表示部」（０３１５）により表示されるように構成される。
【００５２】
図４は、ポータル画面表示装置にポータル画面が表示された状態の一例を示す図である。
【００５３】
本図においては、「東京都千代田区の天気」を含むポータル画面が表示された状態が示されている。即ち、画面中央に千代田区の本日及び明日の天気、気温等に関する情報が表示されるとともに、画面下方に千代田区の週間予報に関する情報が表示される。また、同一画面内で当該「千代田区」のシートを例えば「関東」、「全国」といった別のエリアの天気情報を表示するシートに切り替えることができる。また、左上のアイコンをクリックすることにより、ポータル画面の保存、印刷、拡大を行うことができる。さらに、ポータル画面以外の画面である他メニュー一覧やテレビ画面に切り替えることもできる。
【００５４】
図５は、本実施形態のシステムの構成において、機器識別情報がどのように機能するかを具体例に即して表した機能ブロックの一例を示す図である。
【００５５】
本図は、機器識別情報の中に含まれる製造者識別情報の場合の例を示すものであり、本例では製造者はＡ社である。
【００５６】
本図において、Ａ社の製造者識別情報を含む機器識別情報が、予め「ポータル画面表示装置」（０５１０）の「機器識別情報保持部」（０５１１）に保持されている。本図の例では当該製造者識別情報は「Ａ」で表され、機器識別情報は「Ａ」を含む「ＡＸ１２３４５６」（０５３１）で表される。
【００５７】
当該機器識別情報は、同装置（０５１０）の「ポータル画面表示情報要求信号送信部」（０５１３）がポータル画面表示情報要求信号を送信する際に、当該「ＡＸ１２３４５６」を当該信号に関連付けて送信（０５３２）されるように構成されているため、この中にＡ社の製造者識別情報「Ａ」が含まれて送信されることとなる。
【００５８】
送信されたＡ社の製造者識別情報「Ａ」を含む当該機器識別情報「ＡＸ１２３４５６」は、「ポータル画面サーバ装置」（０５２０）の「ポータル画面表示情報要求信号受信部」（０５２１）により受信（０５３４）されるように構成されている。
【００５９】
受信された当該機器識別情報は、同装置（０５２０）の「第一判断部」（０５２３）において、これがポータル画面表示情報要求信号に関連付けられているか判断（０５３５）されるように構成されている。その際、当該判断は、本図の例では同部（０５２３）が予め保持する機器識別情報照合リスト（０５３６）に基づいて、例えばリスト中に「ＡＸ１２３４５６」が存在するか照合する形で行われるように構成されている。この判断の結果、同装置（０５２０）は、受信したポータル画面表示情報要求信号がＡ社製のポータル画面表示装置から送られてきたものかを知ることができる。この結果、ポータル画面サーバ装置は、Ａ社製の装置にふさわしいポータル画面を表示することが可能となる。
【００６０】
そして、かかる判断の結果、当該製造者識別情報を含む機器識別情報がポータル画面表示情報要求信号と関連付けられていると判断された場合は、同装置（０５２０）の「ポータル画面表示情報送信部」（０５２４）は、当該製造者識別情報を含む機器識別情報と対応付けられたポータル画面表示情報（本図の例では、Ａ社の製品情報）を「ポータル画面表示装置」（０５１０）の「ポータル画面表示情報受信部」（０５１４）に送信（０５３７）するように構成されている。
【００６１】
当該製造者識別情報を含む機器識別情報と対応付けられたポータル画面表示情報とは、例えば、ポータル画面表示装置がＡ社製の場合、ポータル画面にはＡ社の製品情報を表示するといったごときである。あるいは、Ａ社製品の取り扱い要領に関するＱ&Ａを表示するようにしてもよい。あるいは、Ａ社製品の修理の依頼・診断等のためのＡ社のテクニカルセンターに接続するためのボタンを表示するようにしてもよい。あるいは、Ａ社製品に係るソフトウェアのバージョンアップ版のダウンロードのためのボタンを表示するようにしてもよい。あるいは、Ａ社製品特有の機能を発揮させるためのアイコンを表示するようにしてもよい。例えば、エアコン操作ボタンが表示され、そのボタンを押せばエアコンを操作できるといった具合に、家庭内の他の家電機器との通信を行うためのボタンを表示するといったごときである。
【００６２】
その際、送信先である同部（０５１４）のアドレス（０５３３）は、予め登録された機器識別情報と関連付けられたアドレス情報（０５３８）に基づく。本図の例では、当該アドレス（０５３３）は機器識別情報「ＡＸ１２３４５６」がそのまま用いられている。
【００６３】
送信されたポータル画面表示情報は、「ポータル画面表示情報受信部」（０５１４）の当該アドレス（０５３３）において受信され、上述の具体例のような情報が「ポータル画面表示装置」（０５１０）の「表示部」（０５１５）により表示されるように構成される。
【００６４】
図６は、上述の具体例に即してポータル画面表示装置にポータル画面が表示された状態の一例を示す図である。
【００６５】
本図においては、「Ａ社製品情報」を表示する画面を含むポータル画面が表示された状態が示されている。即ち、画面中央にはＡ社の新製品一覧として、同社の新製品の種別、型式、標準価格等の情報が表示されている。また、各製品欄に設けられたボタンを押すこと等により当該製品の詳細情報を表示する画面に切り替えたり、当該製品の購入画面に切り替えたりすることができる。また、画面下方にはＡ社のその他の製品情報、製品に関する質疑応答に係る情報等を表示する画面への切り替えのためのボタン等が表示されている。また、左上のアイコンをクリックすることにより、ポータル画面の保存、印刷、拡大を行うことができる。さらに、ポータル画面以外の画面である他メニュー一覧やテレビ画面に切り替えることもできる。
【００６６】
また、本図の例とは別に、単に「Ａ社」という社名のみをポータル画面に表示することも考えられる。これは、ユーザが当該電子機器を利用する度に必ず「Ａ社」という社名を最初に目にする結果、その社名をユーザに強く認知させるとの目的に資するものである。
【００６７】
図７は、本実施形態のシステムの構成において、機器識別情報がどのように機能するかを別の具体例に即して表した機能ブロックの一例を示す図である。
【００６８】
本図は、機器識別情報の中に郵便番号が含まれる場合の例を示すものであり、本例では郵便番号は東京都千代田区丸の内の「１００−０００５」である。
【００６９】
本図において、当該郵便番号を含む機器識別情報が、予め「ポータル画面表示装置」（０７１０）の「機器識別情報保持部」（０７１１）に保持されている。本図の例では郵便番号情報は「１０００００５」で表され、機器識別情報は当該番号を含む「ＡＸ１２３４５６１０００００５」（０７３１）で表される。この場合、郵便番号の設定は、例えば最初に装置の電源を投入した際にユーザ等が所定の入力操作を行うことによりなされる。
【００７０】
当該機器識別情報は、同装置（０７１０）の「ポータル画面表示情報要求信号送信部」（０７１３）がポータル画面表示情報要求信号を送信する際に、当該「ＡＸ１２３４５６１０００００５」を当該信号に関連付けて送信（０７３２）されるように構成されているため、この中に千代田区丸の内の郵便番号情報「１０００００５」が含まれて送信されることとなる。
【００７１】
送信された千代田区丸の内の郵便番号情報「１０００００５」を含む当該機器識別情報「ＡＸ１２３４５６１０００００５」は、「ポータル画面サーバ装置」（０７２０）の「ポータル画面表示情報要求信号受信部」（０７２１）により受信（０７３４）されるように構成されている。
【００７２】
受信された当該機器識別情報は、同装置（０７２０）の「第一判断部」（０７２３）において、これがポータル画面表示情報要求信号に関連付けられているか判断（０７３５）されるように構成されている。その際、当該判断は、本図の例では同部（０７２３）が予め保持する機器識別情報照合リスト（０７３６）に基づいて、例えばリスト中に「ＡＸ１２３４５６１０００００５」が存在するか照合する形で行われるように構成されている。この判断の結果、同装置（０７２０）は、受信したポータル画面表示情報要求信号が千代田区丸の内に設置されたポータル画面表示装置から送られてきたものかを知ることができる。この結果、ポータル画面サーバ装置は、当該地域のユーザの関心に対応したポータル画面を表示することが可能となる。
【００７３】
そして、かかる判断の結果、当該郵便番号情報を含む機器識別情報がポータル画面表示情報要求信号と関連付けられていると判断された場合は、同装置（０７２０）の「ポータル画面表示情報送信部」（０７２４）は、当該郵便番号情報を含む機器識別情報と対応付けられたポータル画面表示情報（本図の例では、千代田区で上映されている映画情報）を「ポータル画面表示装置」（０７１０）の「ポータル画面表示情報受信部」（０７１４）に送信（０７３７）するように構成されている。
【００７４】
当該郵便番号情報を含む機器識別情報と対応付けられたポータル画面表示情報とは、例えば、ポータル画面表示装置が千代田区丸の内に設置されている場合、ポータル画面には千代田区で上映されている映画情報を含むポータル画面を表示するといったごときである。あるいは、千代田区に関するその他の情報、例えば、天気情報、交通情報等を表示するようにしてもよい。あるいは、千代田区に関する情報を検索するための検索画面を表示するようにしてもよい。あるいは、千代田区における救急医療病院その他の緊急・公共機関に接続するためのボタンを表示するようにしてもよい。
【００７５】
その際、送信先である同部（０７１４）のアドレス（０７３３）は、予め登録された機器識別情報と関連付けられたアドレス情報（０７３８）に基づく。本図の例では、当該アドレス（０７３３）は機器識別情報「ＡＸ１２３４５６１０００００５」がそのまま用いられている。
【００７６】
送信されたポータル画面表示情報は、「ポータル画面表示情報受信部」（０７１４）の当該アドレス（０７３３）において受信され、上述の具体例のような情報が「ポータル画面表示装置」（０７１０）の「表示部」（０７１５）により表示されるように構成される。
【００７７】
図８は、上述の具体例に即してポータル画面表示装置にポータル画面が表示された状態の一例を示す図である。
【００７８】
本図においては、「千代田区の映画上映情報」を表示する画面を含むポータル画面が表示された状態が示されている。即ち、画面中央には千代田区内の上映映画の人気ランキング上位の映画のタイトル、ランキングの変動状況等に関する情報が表示されている。また、各映画欄に設けられたボタンを押すこと等により当該映画の上映館リストを表示する画面に切り替えることができる。また、画面下方には上映期間別の一覧、ジャンル別の一覧等に関する情報を表示する画面への切り替えのためのボタン等が表示されている。また、左上のアイコンをクリックすることにより、ポータル画面の保存、印刷、拡大を行うことができる。さらに、ポータル画面以外の画面である他メニュー一覧やテレビ画面に切り替えることもできる。
【００７９】
<処理の流れ>
【００８０】
図９は、本実施形態における処理の流れの一例を示したものである。本実施形態における処理の流れは、以下のステップからなる。
【００８１】
まず、ポータル画面表示情報要求信号の生成ステップ（Ｓ０９０１）において、本実施形態のシステムは、ポータル画面表示情報を要求する旨の信号であるポータル画面表示情報要求信号を生成する。
【００８２】
次に、ポータル画面表示情報要求信号の送信ステップ（Ｓ０９０２）において、本実施形態のシステムは、前記ポータル画面表示情報要求信号と、前記ポータル画面表示情報要求信号に関連付けた前記機器識別情報とを送信する。
【００８３】
次に、ポータル画面表示情報要求信号の受信ステップ（Ｓ０９０３）において、本実施形態のシステムは、ポータル画面表示情報要求信号を受信する。
【００８４】
次に、本実施形態のシステムが受信したポータル画面表示情報要求信号に前記機器識別情報が関連付けられているか否かの判断ステップ（Ｓ０９０４）において、関連付けられていると判断された場合、ポータル画面表示情報の送信ステップ（Ｓ０９０５）において本実施形態のシステムは、その機器識別情報と対応付けられた前記ポータル画面表示情報を取得して送信する。
【００８５】
次に、ポータル画面表示情報の受信ステップ（Ｓ０９０６）において、ポータル画面表示情報を受信する。
【００８６】
さらに、ポータル画面の表示ステップ（Ｓ０９０７）において、本実施形態のシステムは、前記ポータル画面表示情報の受信ステップ（Ｓ０９０６）において受信したポータル画面表示情報に基づいてポータル画面を表示する。
【００８７】
<効果>
【００８８】
本発明に係るポータルシステムにより、ユーザの識別情報の第三者への漏洩によるなりすましの危険を回避したうえで、ユーザ等に最適なポータル画面を表示することが可能となる。
【実施例２】
【００８９】
<概要>
【００９０】
本実施形態のシステムは、実施形態１を基本とし、前記ポータル画面表示装置の前記機器識別情報には、放送等事業者を識別するための情報である放送等事業者識別情報が含まれる。
【００９１】
<構成>
【００９２】
図１０は、本実施形態の機能ブロックの一例を示す図である。
【００９３】
本実施形態の「ポータルシステム」（１０００）は、「ポータル画面表示装置」（１０１０）と、「ポータル画面サーバ装置」（１０２０）とからなる。
【００９４】
前記「ポータル画面表示装置」（１０１０）は、「機器識別情報保持部」（１０１１）と、「ポータル画面表示情報要求信号生成部」（１０１２）と、「ポータル画面表示情報要求信号送信部」（１０１３）と、「ポータル画面表示情報受信部」（１０１４）と、「表示部」（１０１５）とを有し、前記「ポータル画面表示装置」（１０１０）の前記機器識別情報には、放送等事業者を識別するための情報である放送等事業者識別情報が含まれる。
【００９５】
「放送等事業者」には、無線による一般の放送事業者、有線放送事業者の双方が含まれる。また、放送等事業者は必ずしも会社単位で認識される必要はなく、同一会社のローカルエリアネットワーク毎に別個の放送等事業者として認識されてもよい。
【００９６】
「放送等事業者識別情報」は、放送等事業者名そのものであってもよいし、放送等事業者のコールサインであってもよい。又は、これらとは別に機器を識別するために独自に付されるＩＤなどであってもよい。この場合、放送等事業者識別情報の設定は、例えば最初に装置の電源を投入した際にユーザ等が所定の入力操作を行うことによりなされる。
【００９７】
次に、前記「ポータル画面サーバ装置」（１０２０）は、「ポータル画面表示情報要求信号受信部」（１０２１）と、「ポータル画面表示情報保持部」（１０２２）と、「第一判断部」（１０２３）と、「ポータル画面表示情報送信部」（１０２４）とを有する。
【００９８】
なお、その余の構成は実施形態１と同じであるので、説明を省略する。
【００９９】
図１１は、本実施形態のシステムの構成において、機器識別情報がどのように機能するかを具体的に表した機能ブロックの一例を示す図である。本例では放送等事業者は、ポータル画面表示装置のユーザが加盟するＣＡテレビ事業者であるＣ放送局の大阪ローカル局である。
【０１００】
本図において、Ｃ放送局の大阪ローカル局の放送等事業者識別情報を含む機器識別情報が、予め「ポータル画面表示装置」（１１１０）の「機器識別情報保持部」（１１１１）に保持されている。本図の例では当該放送等事業者識別情報は「Ｃ０６」で表され、機器識別情報は「Ｃ０６」を含む「ＡＸ２３４５６７Ｃ０６」（１１３１）で表される。
【０１０１】
当該機器識別情報は、同装置（１１１０）の「ポータル画面表示情報要求信号送信部」（１１１３）がポータル画面表示情報要求信号を送信する際に、当該「ＡＸ２３４５６７Ｃ０６」を当該信号に関連付けて送信（１１３２）されるように構成されているため、この中にＣ放送局の大阪ローカル局の放送等事業者識別情報「Ｃ０６」が含まれて送信されることとなる。
【０１０２】
送信されたＣ放送局の大阪ローカル局の放送等事業者識別情報「Ｃ０６」を含む当該機器識別情報「ＡＸ２３４５６７Ｃ０６」は、「ポータル画面サーバ装置」（１１２０）の「ポータル画面表示情報要求信号受信部」（１１２１）により受信（１１３４）されるように構成されている。
【０１０３】
受信された当該機器識別情報は、同装置（１１２０）の「第一判断部」（１１２３）において、これがポータル画面表示情報要求信号に関連付けられているか判断（１１３５）されるように構成されている。その際、当該判断は、本図の例では同部（１１２３）が予め保持する機器識別情報照合リスト（１１３６）に基づいて、例えばリスト中に「ＡＸ２３４５６７Ｃ０６」が存在するか照合する形で行われるように構成されている。この判断の結果、同装置（１１２０）は、受信したポータル画面表示情報要求信号がＣ放送局の大阪ローカル局に加入するポータル画面表示装置から送られてきたものかを知ることができる。この結果、ポータル画面サーバ装置は、Ｃ放送局の大阪ローカル局に加入するユーザに向けたポータル画面を表示することが可能となる。
【０１０４】
そして、かかる判断の結果、当該放送等事業者識別情報を含む機器識別情報がポータル画面表示情報要求信号と関連付けられていると判断された場合は、同装置（１１２０）の「ポータル画面表示情報送信部」（１１２４）は、当該放送等事業者識別情報を含む機器識別情報と対応付けられたポータル画面表示情報（本図の例では、Ｃ放送局大阪局配信のニュース）を「ポータル画面表示装置」（１１１０）の「ポータル画面表示情報受信部」（１１１４）に送信（１１３７）するように構成されている。
【０１０５】
当該放送等事業者識別情報を含む機器識別情報と対応付けられたポータル画面表示情報とは、例えば、ポータル画面表示装置のユーザがＣ放送局大阪局に加入する場合、ポータル画面には同局が配信するニュースを含むポータル画面を表示するといったごときである。また、放送等事業者識別情報が機器識別情報に含まれるという構成により、同じくＣ放送局大阪局の加入者であっても、本実施形態のポータル画面表示装置を用いて番組を視聴するユーザと、それ以外のユーザとを識別することが可能となるため、Ｃ放送局大阪局が特に当該ポータル画面表示装置のユーザ向けに提供する情報をポータル画面に表示することが可能となる。例えば、当該ポータル画面表示装置に特有の機能を用いた視聴が可能な番組の情報を表示するとか、当該ポータル画面表示装置がＡ社製の場合はＡ社提供番組は視聴料金を無料にするサービスを行う場合の対象番組の情報を表示するとかいったごときである。
【０１０６】
その際、送信先である同部（１１１４）のアドレス（１１３３）は、予め登録された機器識別情報と関連付けられたアドレス情報（１１３８）に基づく。本図の例では、当該アドレス（１１３３）は機器識別情報「ＡＸ２３４５６７Ｃ０６」がそのまま用いられている。
【０１０７】
送信されたポータル画面表示情報は、「ポータル画面表示情報受信部」（１１１４）の当該アドレス（１１３３）において受信され、上述の具体例のような情報が「ポータル画面表示装置」（１１１０）の「表示部」（１１１５）により表示されるように構成される。
【０１０８】
図１２は、上述の具体例に即してポータル画面表示装置にポータル画面が表示された状態の一例を示す図である。
【０１０９】
本図においては、「Ｃ放送局ニュース」を表示する画面を含むポータル画面が表示された状態が示されている。即ち、画面中央にはＣ放送局大阪局が配信する関西に関するトップニュースの各ニュースの見出しが表示されている。また、各ニュース欄に設けられたボタンを押すこと等により当該ニュースの詳細情報を表示する画面に切り替えることができる。また、画面下方には政治・社会、経済等のジャンル別のニュースに関する情報等を表示する画面への切り替えのためのボタン等が表示されている。また、同一画面内で当該「関西」のシートを例えば「全国」、「ワールド」といった別のエリアのニュースを表示するシートに切り替えることができる。また、左上のアイコンをクリックすることにより、ポータル画面の保存、印刷、拡大を行うことができる。さらに、ポータル画面以外の画面である他メニュー一覧やテレビ画面に切り替えることもできる。
【０１１０】
<処理の流れ>
【０１１１】
図１３は、本実施形態における処理の流れの一例を示したものである。本実施形態における処理の流れは、同図に示す各ステップからなる。
【０１１２】
このうち、ポータル画面表示情報要求信号の送信ステップ（Ｓ１３０２）においては、本実施形態のシステムが送信する機器識別情報には、放送等事業者を識別するための情報である放送等事業者識別情報が含まれる。
【０１１３】
なお、その余の処理の流れは実施形態１における処理の流れと同じであるので、記載を省略する。
【０１１４】
<効果>
【０１１５】
本実施形態のシステムにより、放送等事業者毎の画面を表示することが可能となる。これにより、例えば、放送等事業者の事業者名をユーザに強く印象付けることが可能となる。
【実施例３】
【０１１６】
<概要>
【０１１７】
本実施形態のシステムは、実施形態１又は２を基本とし、前記ポータル画面表示情報保持部は、製造者識別情報と関連付けて前記ポータル画面表示情報を保持する製造者別ポータル画面表示情報保持手段を有する。
【０１１８】
<構成>
【０１１９】
図１４は、本実施形態の機能ブロックの一例を示す図である。
【０１２０】
本実施形態の「ポータルシステム」（１４００）は、「ポータル画面表示装置」（１４１０）と、「ポータル画面サーバ装置」（１４２０）とからなる。
【０１２１】
前記「ポータル画面表示装置」（１４１０）は、「機器識別情報保持部」（１４１１）と、「ポータル画面表示情報要求信号生成部」（１４１２）と、「ポータル画面表示情報要求信号送信部」（１４１３）と、「ポータル画面表示情報受信部」（１４１４）と、「表示部」（１４１５）とを有する。
【０１２２】
次に、前記「ポータル画面サーバ装置」（１４２０）は、「ポータル画面表示情報要求信号受信部」（１４２１）と、「ポータル画面表示情報保持部」（１４２２）と、「第一判断部」（１４２３）と、「ポータル画面表示情報送信部」（１４２４）とを有する。
【０１２３】
前記「ポータル画面表示情報保持部」（１４２２）は、製造者識別情報と関連付けて前記ポータル画面表示情報を保持する「製造者別ポータル画面表示情報保持手段」（１４２５）を有する。
【０１２４】
また、本図には示されていないが、前記「ポータル画面表示装置」（１４１０）の前記機器識別情報には、放送等事業者を識別するための情報である放送等事業者識別情報が含まれるものであってもよい。
【０１２５】
なお、その余の構成は実施形態１と同じであるので、説明を省略する。
【０１２６】
<効果>
【０１２７】
本実施形態のシステムにより、製造者が複数ある場合においても、その中から特定の製造者に係るポータル画面を、ユーザのニーズに最適の画面として表示することが可能となる。
【実施例４】
【０１２８】
<概要>
【０１２９】
本実施形態のシステムは、実施形態１又は２を基本とし、前記ポータル画面表示情報保持部は、放送事業者等識別情報と関連付けて前記ポータル画面表示情報を保持する放送事業者等別ポータル画面表示情報保持手段を有する。
【０１３０】
<構成>
【０１３１】
図１５は、本実施形態の機能ブロックの一例を示す図である。
【０１３２】
本実施形態の「ポータルシステム」（１５００）は、「ポータル画面表示装置」（１５１０）と、「ポータル画面サーバ装置」（１５２０）とからなる。
【０１３３】
前記「ポータル画面表示装置」（１５１０）は、「機器識別情報保持部」（１５１１）と、「ポータル画面表示情報要求信号生成部」（１５１２）と、「ポータル画面表示情報要求信号送信部」（１５１３）と、「ポータル画面表示情報受信部」（１５１４）と、「表示部」（１５１５）とをする。
【０１３４】
次に、前記「ポータル画面サーバ装置」（１５２０）は、「ポータル画面表示情報要求信号受信部」（１５２１）と、「ポータル画面表示情報保持部」（１５２２）と、「第一判断部」（１５２３）と、「ポータル画面表示情報送信部」（１５２４）とを有する。
【０１３５】
前記「ポータル画面表示情報保持部」（１５２２）は、放送事業者等識別情報と関連付けて前記ポータル画面表示情報を保持する「放送事業者等別ポータル画面表示情報保持手段」（１５２５）を有する。
【０１３６】
「放送事業者等」とは、「放送等事業者」と同義である。他の実施例においても同様である。
【０１３７】
また、本図には示されていないが、前記「ポータル画面表示装置」の前記機器識別情報には、放送等事業者を識別するための情報である放送等事業者識別情報が含まれるものであってもよい。
【０１３８】
なお、その余の構成は実施形態１と同じであるので、説明を省略する。
【０１３９】
<効果>
【０１４０】
本実施形態のシステムにより、放送等事業者が複数ある場合においても、その中から特定の放送等事業者に係るポータル画面を、ユーザのニーズに最適の画面として表示することが可能となる。
【実施例５】
【０１４１】
<概要>
【０１４２】
本実施形態のシステムは、実施形態１から４のいずれか一を基本とし、前記ポータル画面サーバ装置は、前記ポータル画面表示情報要求信号受信部で受信するポータル画面表示情報要求信号又は、これに関連付けて受信する機器識別情報に基づいて前記ポータル画面表示装置に対して所定の情報の要求である所定要求情報を送信する所定要求情報送信部を有し、前記ポータル画面表示情報送信部は、前記所定要求情報の前記ポータル画面表示装置から返信される応答情報にも基づいて前記ポータル画面表示情報保持部からポータル画面表示情報を取得して、前記ポータル画面表示装置にそのポータル画面表示情報を送信し、前記ポータル画面表示装置は、前記所定要求信号を受信する所定要求信号受信部と、前記所定要求情報受信部で受信した所定要求情報に応じた応答情報を返信する応答返信部とを有する。
【０１４３】
<構成>
【０１４４】
図１６は、本実施形態の機能ブロックの一例を示す図である。
【０１４５】
本実施形態の「ポータルシステム」（１６００）は、「ポータル画面表示装置」（１６１０）と、「ポータル画面サーバ装置」（１６２０）とからなる。
【０１４６】
前記「ポータル画面表示装置」（１６１０）は、「機器識別情報保持部」（１６１１）と、「ポータル画面表示情報要求信号生成部」（１６１２）と、「ポータル画面表示情報要求信号送信部」（１６１３）と、「ポータル画面表示情報受信部」（１６１４）と、「所定要求信号受信部」（１６１５）と、「応答返信部」（１６１６）と、「表示部」（１６１７）とを有する。
【０１４７】
また、前記「ポータル画面サーバ装置」（１６２０）は、「ポータル画面表示情報要求信号受信部」（１６２１）と、「ポータル画面表示情報保持部」（１６２２）と、「第一判断部」（１６２３）と、「ポータル画面表示情報送信部」（１６２４）と、「所定要求情報送信部」（１６２５）とを有する。
【０１４８】
「ポータル画面サーバ装置」（１６２０）の「所定要求情報送信部」（１６２５）は、前記「ポータル画面表示情報要求信号受信部」で受信するポータル画面表示情報要求信号又はこれに関連付けて受信する機器識別情報に基づいて前記ポータル画面表示装置に対して所定の情報の要求である所定要求情報を送信するように構成されている。
【０１４９】
「所定要求情報」は、ポータル画面表示情報要求信号に含まれている情報のみではポータル画面表示装置に対して送信するポータル画面表示情報の内容の判断が十分に出来ない場合、あるいは一応要求に最低限応えるための判断は可能であるが、より詳しい情報があればより有益な画面表示情報を返信できるような場合に、追加的な情報を要求する事項を内容とする情報である。例えば、ポータル画面表示情報装置が保持する機器識別情報の中に放送等事業者識別情報が含まれている場合であって、当該放送等事業者がＤ放送局であるとの情報のみが送付されてきた場合、Ｄ放送局が全国ネットの放送局であるか、特定地域に特化した放送局であるかを当該所定要求情報として送信するといったごときである。
【０１５０】
「ポータル画面表示装置」（１６１０）の「所定要求信号受信部」（１６１５）は、前記所定要求信号を受信するように構成されている。
【０１５１】
「ポータル画面表示装置」（１６１０）の「応答返信部」（１６１６）は、前記所定要求情報受信部で受信した所定要求情報に応じた応答情報を返信するように構成されている。「応答情報」は、上述の例に即して言えば、Ｄ放送局が全国ネットの放送局であるといった情報などである。
【０１５２】
「ポータル画面サーバ装置」（１６２０）の「ポータル画面表示情報送信部」（１６２４）は、前記所定要求情報の前記「ポータル画面表示装置」（１６１０）から返信される応答情報にも基づいて前記「ポータル画面表示情報保持部」（１６２２）からポータル画面表示情報を取得して、前記「ポータル画面表示装置」（１６１０）にそのポータル画面表示情報を送信するように構成されている。
【０１５３】
例えば、応答情報が上述の例で「Ｄ放送局が全国ネットの放送局である」という情報の場合、「ポータル画面表示情報送信部」（１６２４）は「ポータル画面表示情報保持部」（１６２２）から、ポータル画面表示情報として例えば「Ｄ放送局のニュース画面の表示要求情報」とともにポータル画面表示装置が設置されている住所の郵便番号（例えば千代田区丸の内の郵便番号）を取得し、上述の「Ｄ放送局が全国ネットの放送局である」との応答情報にも基づいてＤ放送局の東京ローカル局が東京地方向けに提供しているニュース画面を含むポータル画面を表示するためのポータル画面表示情報を送信するように構成される。
【０１５４】
また、本図には示されていないが、前記「ポータル画面表示装置」（１６２２）の前記機器識別情報には、放送等事業者を識別するための情報である放送等事業者識別情報が含まれるものであってもよい。
【０１５５】
また、本図には示されていないが、前記「ポータル画面表示情報保持部」（１６２２）は、製造者識別情報と関連付けて前記ポータル画面表示情報を保持する「製造者別ポータル画面表示情報保持手段」を有するものであってもよい。
【０１５６】
また、本図には示されていないが、前記「ポータル画面表示情報保持部」は、放送等事業者識別情報と関連付けて前記ポータル画面表示情報を保持する「放送等事業者別ポータル画面表示情報保持手段」を有するものであってもよい。
【０１５７】
なお、その余の構成は実施形態１と同じであるので、説明を省略する。
【０１５８】
図２１は、本実施形態のポータルシステムの構成のうち所定要求情報送信部が所定要求情報を送信し、画面表示情報送信部が前記所定要求情報の前記ポータル画面表示装置から返信される応答情報にも基づいてポータル画面表示情報を取得して、前記ポータル画面表示装置にそのポータル画面表示情報を送信し、前記ポータル画面表示装置が前記所定要求信号を受信して所定要求情報に応じた応答情報を返信する構成を具体的に表したものの一例を示す概念図である。
【０１５９】
本図に示す例においては、機器識別情報は「ＩＤ００３」なる情報（２１０１）であり、当該機器識別情報が同装置のポータル画面表示情報要求信号送信部からポータル画面表示情報要求信号に関連付けてポータル画面サーバ装置のポータル画面表示情報要求信号受信部に送信されて同部にて受信される。ポータル画面サーバ装置は、予め機器識別情報とポータル画面表示情報を対応付けるとともに所定要求情報の必要の有無とも対応付けたテーブル（２１０２）を保持しており、同装置の第一判断部で同テーブルに基づいて所定要求情報が必要であると判断された場合には、同装置の所定要求情報送信部から所定要求情報として「ＩＤ００３に関する所定要求情報」（２１０３）がポータル画面表示装置の所定要求情報受信部に対し送信され、同部で受信される。これに対し、ポータル画面表示装置は返信情報として「ＩＤ００３α」（２１０４）をポータル画面サーバ装置に返信する。ポータル画面サーバ装置は、予め応答要求情報とポータル画面表示情報を対応付けたテーブル（２１０５）を保持しており、同テーブルに基づいて対応するポータル画面表示情報「ＦＩＬＥＣα」をポータル画面表示装置に送信する。
【０１６０】
<処理の流れ>
【０１６１】
図１７は、本実施形態における処理の流れの一例を示したものである。本実施形態における処理の流れは、同図に示す各ステップからなる。
【０１６２】
本実施形態のシステムが受信したポータル画面表示情報要求信号に前記機器識別情報が関連付けられているか否かの判断ステップ（Ｓ１７０４）において、関連付けられていると判断された場合、所定要求情報の送信ステップ（Ｓ１７０５）において、本実施形態のシステムは、ポータル画面表示情報要求信号又はこれに関連付けて受信する機器識別情報に基づいて所定要求情報を送信する。
【０１６３】
次に、所定要求情報の受信ステップ（Ｓ１７０６）において、本実施形態のシステムは、前記ステップ（Ｓ１７０５）において送信された当該所定要求情報を受信する。
【０１６４】
次に、応答の返信ステップ（Ｓ１７０７）において、本実施形態のシステムは、前記ステップ（Ｓ１７０６）において受信した所定要求情報に応じた応答情報を返信する。
【０１６５】
次に、ポータル画面表示情報の送信ステップ（Ｓ１７０８）において、本実施形態のシステムは、前記ステップ（Ｓ１７０７）において返信される応答情報にも基づいて、ポータル画面表示情報を取得して、そのポータル画面表示情報を送信する。
【０１６６】
なお、その余の処理の流れは実施形態１における処理の流れと同じであるので、説明を省略する。
【０１６７】
<効果>
【０１６８】
本実施形態のシステムにより、ポータル画面表示情報要求信号に含まれている情報以外の情報も加味したユーザのニーズにより適したポータル画面を表示することが可能となる。
【実施例６】
【０１６９】
<概要>
【０１７０】
本実施形態のシステムは、実施形態１を基本とし、前記ポータル画面表示情報サーバ装置は、前記ポータル画面表示情報保持部に、放送事業者等識別情報と関連付けて前記ポータル画面表示情報を保持する放送事業者等別ポータル画面表示情報保持手段を有し、前記機器識別情報に前記放送事業者等識別情報が含まれているか判断する第二判断部を有するとともに、前記第二判断部での判断結果が前記機器識別情報に前記放送事業者等識別情報が含まれていないとの判断結果である場合には、前記ポータル画面表示装置に対して前記放送事業者等のサービスに加入することを促すメッセージを送信するメッセージ送信部を有する。
【０１７１】
<構成>
【０１７２】
図１８は、本実施形態の機能ブロックの一例を示す図である。
【０１７３】
本実施形態の「ポータルシステム」（１８００）は、「ポータル画面表示装置」（１８１０）と、「ポータル画面サーバ装置」（１８２０）とからなる。
【０１７４】
前記「ポータル画面表示装置」（１８１０）は、「機器識別情報保持部」（１８１１）と、「ポータル画面表示情報要求信号生成部」（１８１２）と、「ポータル画面表示情報要求信号送信部」（１８１３）と、「ポータル画面表示情報受信部」（１８１４）と、「表示部」（１８１５）とを有する。
【０１７５】
次に、前記「ポータル画面サーバ装置」（１８２０）は、「ポータル画面表示情報要求信号受信部」（１８２１）と、「ポータル画面表示情報保持部」（１８２２）と、「第一判断部」（１８２３）と、「ポータル画面表示情報送信部」（１８２４）と、「第二判断部」（１８２５）と、「メッセージ送信部」（１８２６）を有する。
【０１７６】
「ポータル画面サーバ装置」（１８２０）の「ポータル画面表示情報保持部」（１８２２）は、放送事業者等識別情報と関連付けて前記ポータル画面表示情報を保持する「放送事業者等別ポータル画面表示情報保持手段」（１８２７）を有する。
【０１７７】
「ポータル画面サーバ装置」（１８２０）の「第二判断部」（１８２５）は、前記機器識別情報に前記放送事業者等識別情報が含まれているか判断するように構成されている。
【０１７８】
「ポータル画面サーバ装置」（１８２０）の「メッセージ送信部」（１８２６）は、前記「ポータル画面表示装置」（１８１０）に対して前記放送事業者等のサービスに加入することを促すメッセージを送信するように構成されている。
【０１７９】
<処理の流れ>
【０１８０】
図１９は、本実施形態における処理の流れの一例を示したものである。本実施形態における処理の流れは、同図に示す各ステップからなる。
【０１８１】
前記機器識別情報に前記放送事業者等識別情報が含まれているかの判断ステップ（Ｓ１９０４）において含まれていないと判断された場合、加入を促すメッセージの送信ステップ（Ｓ１９０９）において、放送事業者等のサービスに加入することを促すメッセージを送信する。
【０１８２】
その余の処理の流れは実施形態１における処理の流れと同じであるので、説明を省略する。
【０１８３】
<効果>
【０１８４】
本実施形態のシステムにより、放送等事業者、特にＣＡテレビに加入していないユーザに対する加入の促進が可能となる。
【実施例７】
【０１８５】
<概要>
【０１８６】
本実施形態のシステムは、実施形態１から６のいずれか一を基本とし、前記ポータル画面表示装置の表示部は、前記機器識別情報に対応したポータル画面表示情報に基づいてポータル画面を表示するための情報を自身から取得し、取得した情報に基づいてポータル画面を表示する。
【０１８７】
<構成>
【０１８８】
図２０は、本実施形態の機能ブロックの一例を示す図である。
【０１８９】
本実施形態の「ポータルシステム」（２０００）は、「ポータル画面表示装置」（２０１０）と、「ポータル画面サーバ装置」（２０２０）とからなる。
【０１９０】
前記「ポータル画面表示装置」（２０１０）は、「機器識別情報保持部」（２０１１）と、「ポータル画面表示情報要求信号生成部」（２０１２）と、「ポータル画面表示情報要求信号送信部」（２０１３）と、「ポータル画面表示情報受信部」（２０１４）と、「表示部」（２０１５）とを有する。
【０１９１】
また、前記「ポータル画面サーバ装置」（２０２０）は、「ポータル画面表示情報要求信号受信部」（２０２１）と、「ポータル画面表示情報保持部」（２０２２）と、「第一判断部」（２０２３）と、「ポータル画面表示情報送信部」（２０２４）とを有する。
【０１９２】
前記「ポータル画面表示装置」（２０１０）の前記「表示部」（２０１５）は、前記機器識別情報に対応したポータル画面表示情報に基づいてポータル画面を表示するための情報を自身から取得し、取得した情報に基づいてポータル画面を表示するように構成されている。
【０１９３】
即ち、本実施形態においては、ポータル画面サーバ装置から情報の一部しか来ず、来た情報にポータル画面が予め持っている情報を足すことで全体としてポータル画面に表示されるる情報が出来上がるものである。
【０１９４】
図２２は、本実施形態のポータルシステムが機器識別情報に対応したポータル画面表示情報に基づいてポータル画面を表示するための情報を自身から取得し、取得した情報に基づいてポータル画面を表示する構成を具体的に表したものの一例を示す概念図である。
【０１９５】
本図に示す例においては、機器識別情報として「ＩＤ００３」なる情報（２２０１）が予めポータル画面表示装置の機器識別情報保持部に保持されており、当該機器識別情報が同装置のポータル画面表示情報要求信号送信部からポータル画面表示情報要求信号に関連付けてポータル画面サーバ装置のポータル画面表示情報要求信号受信部に送信されて同部にて受信される。ポータル画面サーバ装置は、予め機器識別情報とポータル画面表示情報を対応付けたテーブル（２２０２）を保持しており、同装置の第一判断部で同テーブルに基づいて受信された当該機器識別情報がポータル画面表示情報要求信号と関連付けられているか否か判断を行い、関連付けられていると判断された場合には、当該機器識別情報と対応付けられたポータル画面表示情報として「ＦＩＬＥＣ」（２２０３）がポータル画面サーバ装置からポータル画面表示装置に送付される。一方、ポータル画面表示装置は、予めポータル画面表示情報とこれと一緒に使うファイルの情報を対応付けたリスト（２２０４）を保持するとともにこれら両者のファイルを合わせて表示部に送付するように構成されており、このため、同リストに基づいて、送付された「ＦＩＬＥＣ」と一緒に使うファイルとして対応付けられた「ＦＩＬＥＣ'」（２２０５）を送付する。以上の結果、表示部はこれら両者のファイルを合わせた情報に基づいてポータル画面を表示する。
【０１９６】
<効果>
【０１９７】
本実施形態のシステムにより、放送等事業者、特にＣＡテレビに加入していないユーザに対する加入の促進が可能となる。
【図面の簡単な説明】
【０１９８】
【図１】実施形態１を説明するための概念図
【図２】実施形態１を説明するための機能ブロック図
【図３】実施形態１を説明するための機能ブロック図
【図４】実施形態１を説明するための概念図
【図５】実施形態１を説明するための機能ブロック図
【図６】実施形態１を説明するための概念図
【図７】実施形態１を説明するための機能ブロック図
【図８】実施形態１を説明するための概念図
【図９】実施形態１の処理の流れを説明する図
【図１０】実施形態２を説明するための機能ブロック図
【図１１】実施形態２を説明するための機能ブロック図
【図１２】実施形態２を説明するための概念図
【図１３】実施形態２の処理の流れを説明する図
【図１４】実施形態３を説明するための機能ブロック図
【図１５】実施形態４を説明するための機能ブロック図
【図１６】実施形態５を説明するための機能ブロック図
【図１７】実施形態５の処理の流れを説明する図
【図１８】実施形態６を説明するための機能ブロック図
【図１９】実施形態６の処理の流れを説明する図
【図２０】実施形態７を説明するための機能ブロック図
【図２１】実施形態５を説明するための概念図
【図２２】実施形態７を説明するための概念図
【符号の説明】
【０１９９】
０１０１      ポータル画面表示装置１
０１０２      ポータル画面表示装置２
０１０３      ポータル画面表示装置３
０１０４      ポータル画面サーバ装置
【図１】
0004759510.tif 000002
【図２】
0004759510.tif 000003
【図３】
0004759510.tif 000004
【図４】
0004759510.tif 000005
【図５】
0004759510.tif 000006
【図６】
0004759510.tif 000007
【図７】
0004759510.tif 000008
【図８】
0004759510.tif 000009
【図９】
0004759510.tif 000010
【図１０】
0004759510.tif 000011
【図１１】
0004759510.tif 000012
【図１２】
0004759510.tif 000013
【図１３】
0004759510.tif 000014
【図１４】
0004759510.tif 000015
【図１５】
0004759510.tif 000016
【図１６】
0004759510.tif 000017
【図１７】
0004759510.tif 000018
【図１８】
0004759510.tif 000019
【図１９】
0004759510.tif 000020
【図２０】
0004759510.tif 000021
【図２１】
0004759510.tif 000022
【図２２】
0004759510.tif 000023